(57)【要約】  【課題】  棚部に載せてリム洗浄水を旋回させる便器において、棚部に覆い被さるオーバーハング部をなくしてもリム洗浄水が外部へ飛び出すことの無い水洗便器を提供する。  【解決手段】  溜水を貯め置く便器ボウル部にリム洗浄水を供給して便器洗浄を行う水洗便器であって、この水洗便器のボウル部上縁内周は、垂直乃至は外側に広がる形状であり、このボウル部上縁から溜水部へ至る途中のボウル面内周には、水平に近い傾斜の棚部が形成されており、この棚部に載って略水平方向に旋回を起こすよう洗浄水を噴出するリム吐水口が備えられており、前記便器ボウル部前端位置における棚部は、ボウル部上端から６０〜８０ｍｍの位置に形成されていることを特徴とする。【選択図】  図１
2005098003.tif 000002
【特許請求の範囲】
【請求項１】
溜水を貯め置く便器ボウル部にリム洗浄水を供給して便器洗浄を行う水洗便器であって、
この水洗便器のボウル部上縁内周は、垂直乃至は外側に広がる形状であり、
このボウル部上縁から溜水部へ至る途中のボウル面内周には、棚部が形成されており、
この棚部に載って略水平方向に旋回を起こすよう洗浄水を噴出するリム吐水口が備えられており、
前記便器ボウル部前端位置における棚部は、ボウル部上端から６０〜８０ｍｍの位置に形成されていることを特徴とする水洗便器。
【請求項２】
前記リム吐水口は、便器ボウル部側方の後部に設けられていることを特徴とする、請求項１記載の水洗便器。
【請求項３】
前記棚部は、リム吐水口からボウル部前端位置に向かって下り傾斜となるよう形成されていることを特徴とする、請求項２記載の水洗便器。
【請求項４】
前記棚部は、ボウル部前端位置からリム洗浄水の旋回方向において水平又は下り傾斜となるよう形成されていることを特徴とする、請求項３記載の水洗便器。
【請求項５】
前記棚部は、ボウル部前端位置からリム洗浄水の旋回方向において上り傾斜となるよう形成されていることを特徴とする、請求項３記載の水洗便器。
【請求項６】
前記上り傾斜となる棚部には、同じ旋回方向にリム洗浄水を噴出する第二リム吐水口が設けられていることを特徴とする、請求項５記載の水洗便器。
【請求項７】
前記リム洗浄水へ気泡を混入する気泡混入手段を備えたことを特徴とする、請求項１乃至６何れか一項記載の水洗便器。
【請求項８】
前記ボウル部前端は、内部に空間を有しない一層壁によって形成されていることを特徴とする、請求項１乃至７何れか一項記載の水洗便器。
【請求項９】
請求項１記載の水洗便器の製造方法であって、前記ボウル部上縁及び棚部は、上型によって一体的に成形することを特徴とする水洗便器の製造方法。
【発明の詳細な説明】
【技術分野】
【０００１】
本発明は、水洗便器に係り、特に、ボウル部に旋回するように洗浄水を供給して便器洗浄を行う水洗便器の水飛び出し防止構造に関する。 
【背景技術】
【０００２】
従来の水洗便器として、ボウル部に旋回するように洗浄水を供給して便器洗浄を行う水洗便器が知られている。（例えば、特許文献１参照。）。 
この特許文献１記載の水洗便器を図１０，１１に基づいて説明する。この図１０は便器をその上面のほぼ全域に亘って破断して示す説明図であり、図１１は図１０のＡ−Ａ線，Ｂ−Ｂ線，Ｃ−Ｃ線，Ｄ−Ｄ線の各部でリム部を破断した概略部分断面図である。
図１０に示すように、洗浄水供給孔１４０から供給された洗浄水は、洗浄水給水路１４１を経て、ボウル部１２０底部に設けられたゼット噴出口１２２に連通したゼット給水路１４６と、リム部１２１の左側後部に設けられたリム噴出口１４４と連通したリム給水路１４３とに分岐される。そして、このリム給水路１４３を経てリム噴出口１４４から噴出したリム洗浄水ＲＳは、ボウル部１２０のリム部１２１近傍に沿って周回形成されている棚部１５０の上面を流れて、ボウル部１２０を旋回して洗浄水する。なお、セット噴出口１２２から噴出したゼット洗浄水によりサイホン作用を発生させ、ボウル部１２０内の汚物が溜水と共に排出される。
棚部１５０は図１１に示すように略水平な面によって構成されており、また、棚部１５０に覆い被さるようにオーバーハング部１５２が形成されており、棚部を勢い良く旋回するリム洗浄水ＲＳが便器外へ飛び出すことを防いでいる。
【０００３】
【特許文献１】特開２００１−２７９７９１号公報
【発明の開示】
【発明が解決しようとする課題】
【０００４】
特許文献１記載の水洗便器においては、従来の便器に比べ、リム部の清掃性が格段に優れたものを提供できているが、水飛び防止のために設けたオーバーハング部１５２があるため棚部１５０を旋回するリム洗浄水ＲＳが外部へ飛び出すことが無い反面、このオーバーハング部１５２の裏側（ボウル部１２０と対向する側の面）に汚れが付着した場合、立ち位置によっては、見えにくく、その部分の掃除が不十分となる恐れがあった。
そのため、本発明は、上記問題を解決するためになされたもので、本発明の課題は、棚部に載せてリム洗浄水を旋回させる便器において、棚部に覆い被さるオーバーハング部をなくしてもリム洗浄水が外部へ飛び出すことの無い水洗便器を提供することを目的とする。
【課題を解決するための手段】
【０００５】
上記目的を達成するために請求項１記載の水洗便器においては、溜水を貯め置く便器ボウル部にリム洗浄水を供給して便器洗浄を行う水洗便器であって、この水洗便器のボウル部上縁内周は、垂直乃至は外側に広がる形状であり、このボウル部上縁から溜水部へ至る途中のボウル面内周には、棚部が形成されており、この棚部に載って略水平方向に旋回を起こすよう洗浄水を噴出するリム吐水口が備えられており、前記便器ボウル部前端位置における棚部は、ボウル部上端から６０〜８０ｍｍの位置に形成されていることを特徴とする。
【０００６】
従って、洗浄水がボール部内周に設けられた棚部に載って水平方向に旋回するため、リム洗浄水経路がボール部に連続した面で形成されることになり、清掃性に優れる。
しかも、ボール部上縁内周は、垂直乃至は外側に広がる形状であるため、上方から棚部を含めボール部全体を目視、清掃可能であり、より清掃性に優れる。
そして、棚部に沿って水平方向に旋回する経路の内、最も曲率が小さいので遠心力により洗浄水が飛び出し易い便器ボール部前端位置における棚部が、ボール部上端から６０ｍｍ以上の位置に形成されている為、洗浄水の飛び出しが抑えられると共に、８０ｍｍ以下の位置に形成されているため洗浄時に溜水面が上昇したとしても、棚部が水没することが無く、溜水面に浮いた汚物が棚部に残ることが防げる。
なお、リム洗浄水を水洗便器後部に載置されたタンク部から供給する場合は、その給水圧となる水頭圧（タンク部内の水位）の上限が決まっている為、リム洗浄水が規定量を越えるような変動は無い。従って、棚部のボウル部上端からの位置としては不洗部分となる範囲を狭くするべく、６０〜７０ｍｍの範囲で設定することが好ましい。一方、リム洗浄水を水道配管から直接供給する場合には、水道配管から供給される給水圧が変動し、定流量弁等の定流量手段があっても多少変動する。その場合でも洗浄水の飛び出しを防げるように、棚部のボウル部上端からの位置は７０〜８０ｍｍの範囲で設定することが好ましい。
【０００７】
また、前記リム吐水口は、便器ボウル部側方の後部に設けられているものとすれば、ボール部側方の後部から洗浄水が噴出するため、最も勢いのある噴出直後のリム洗浄水はボール部の内周において最も曲率の大きいボール部側方の棚部を流れるため水飛び出しすることが無く、また、このボール部側方に沿った流れにより流れ自体が棚に載って整流されることになり、ボール部前方での水飛び出しをより一層効果的に抑えることができる。
【０００８】
また、前記棚部は、リム吐水口からボウル部前端位置に向かって下り傾斜となるよう形成されているものとすれば、ボール部前端以外における棚部がボール部上縁に近く形成でき、ボール部先端に合わせて棚部全体を低い位置に形成した場合に比べてリム洗浄水による不洗部分を少なくすることができる。
【０００９】
また、前記棚部は、ボウル部前端位置からリム洗浄水の旋回方向において水平又は下り傾斜となるよう形成されているものとすれば、棚部全周を旋回させるのに必要なリム吐水口における初速が、ボール部前端位置から上り傾斜となる場合よりも小さくて済み、ボール部前端における飛び出しを抑えることができる。また、下り傾斜すなわち、螺旋状の棚構成にすることによって、洗浄水はボウル面内周を重力に引かれて周回してゆくことになり、ボウル壁面の洗浄力や、溜水の旋回付与を確保することができる。
【００１０】
なお、前記棚部は、ボウル部前端位置からリム洗浄水の旋回方向において上り傾斜となるよう形成されているものとすれば、洗浄水が上り傾斜の棚部に載って流れることにより、棚部が水平又は下り傾斜の場合と比べてボール部後方のリム上縁から棚部までの高さ変化を小さくでき、不洗部分を少なくすることができる。
【００１１】
また、前記上り傾斜となる棚部には、同じ旋回方向にリム洗浄水を噴出する第二リム吐水口が設けられているものとすれば、上り傾斜となる棚部に第二リム吐水口が設けられていることにより、この第二リム吐水口から勢いのよいリム洗浄水を噴出して上り傾斜であっても棚部に載せて洗浄水を旋回させることができ、ボール部全体に洗浄水を行き渡らせることができる。
【００１２】
また、前記リム洗浄水へ気泡を混入する気泡混入手段を備えたものとすれば、気泡混入により棚部との接触に伴う水はねを防止でき、結果として水の飛び出しを防ぐことができる。
【００１３】
また、前記ボウル部前端は、内部に空間を有しない一層壁によって形成されているものとすれば、前記ボール部前端は内部に空間を有しない一層壁であるため、ボール開口の前後長さを広く確保することができ、男子小用での使い勝手が向上する。
【００１４】
なお、請求項１記載の水洗便器の製造方法であって、前記ボウル部上縁及び棚部は、上型によって一体的に成形するものとすれば、ボール部上縁と棚部とを別々に成形して接着する必要が無く、製造コストを下げることができる。
【発明の効果】
【００１５】
便器のリム部のオーバーハングをなくして、清掃性を向上させることができるとともに、リム洗浄水が便器外へ飛び出すことがない便器を提供できる。
【発明を実施するための最良の形態】
【００１６】
以下に本発明の実施の形態を添付図面に基づいて説明する。
図１は本発明の第一の実施形態に係わる水洗便器の断面図、図２は同水洗便器の平面図、図３はボウル部への導水路を透視した図である。
【００１７】
この水洗便器Ａは陶器製であり、排泄物受け面であるボウル部１と、このボウル部１の開口縁を形成するリム部２と、ボウル部１の後方に設けられたタンク部３とから構成されており、この図１においては、タンク部３がリム部２と連続して一体的に成形されたいわゆるワンピース型の水洗便器である。
ボウル部１とリム部２との間には棚部４が形成されている。この棚部４はボウル部１の上方のリム部２に近い位置に形成された床面と平行に近い面であり、本実施形態においては、その面の傾斜角度である、リム部２からボウル部１へ向う面の接線が床面と水平な面と成す角度が、０度〜１５度の範囲である面を棚部４として定義する。
【００１８】
便器洗浄時には、使用者が排水レバー５を回動することにより排水弁６が上方に移動し、タンク部３に貯められた洗浄水が洗浄水導水路７へ流れ込む。この洗浄水導水路７へ流れ込んだ洗浄水がリム導水路８とゼット導水路９とに分流し、リム導水路８に流れ込んだリム洗浄水Ｗｒは図３に示すようにリム吐水口１０から棚部４の上面に向けて噴出される。一方、ゼット導水路９に流れ込んだゼット洗浄水Ｗｚは、ゼット吐水口１１から溜水１２中に噴出され、溜水１２をトラップ部１３へ向けて押し出してサイホン作用を発生させ、汚物を排出させる。
なお、トラップ部１３と床面に設けられた排水管（図示せず）とは、水洗便器Ａとは別に形成された樹脂製の排水ソケット１４にて連結されており、この排水ソケット１４の流路内部には、サイホン作用の発生を促進させるために流路が屈曲形成されている。
【００１９】
リム洗浄水Ｗｒの流れについて詳細に説明する。図３に示すように、リム吐水口１０から噴出されたリム洗浄水Ｗｒは、棚部４に乗って旋回する主リム洗浄水Ｗｒ−１と、旋回に伴い副リム洗浄水Ｗｒ−２とを構成し、このリム洗浄水Ｗｒによってボウル部１の付着した汚物やトイレットペーパーは溜水１２へ落とし込まれる。
【００２０】
そして、水洗便器Ａのボウル部上縁を形成するリブ部２と棚部４とを繋ぐ縦面２ａは、垂直乃至は外側に広がる形状である。そのため、ボウル部１の内面は、棚部４及び縦面２ａを含めてボウル部１上方から死角となる部分が無くなる。そのため、ボウル部１からリム部２に至る水洗便器Ａ内面の掃除は非常に簡単となる。
しかし、棚部４の上方の縦面２ａが垂直乃至は外側に広がる形状であるため、棚部４を流れるリム洗浄水Ｗｒが縦面２ａに沿って上昇し易く、特に、図１〜３の右端である水洗便器Ａの前方端位置においては棚部４の曲率が最も小さく、そのため、リム洗浄水Ｗｒの縦面２ａに沿った上昇距離も大きくリム部２上面から飛び出し易いが、ボウル部１の上縁であるリム部２上面から棚部４の上面までの距離Ｈは、棚部４の全周に亘って６０ｍｍに形成されている。そのため、水洗便器Ａの前方端位置であっても、リム洗浄水Ｗｒがリム部２を乗り越えてボウル部１の外へ飛び出すことが防止されている。
なお、棚部４のリム部上面からの距離Ｈとしては、溜水１２の上面よりも高い位置であって、便器洗浄時に溜水１２が旋回することによる水位上昇時にも容易に水没すること無いように、８０ｍｍ以内とすることが好ましい。
従って、棚部の高さは、少なくともボウル部前端位置で６０ｍｍ〜８０ｍｍとするが、望ましくは、リム洗浄水が旋回方向に向かって大きく曲率を変化し始める位置を起点として、便器の対称位置までの領域に前記数値範囲の棚部の高さを形成する。
【００２１】
図４は第一の実施形態に係わる水洗便器を別製造方法にて製造した構造を示す。この水洗便器Ａ１においては、図１の水洗便器Ａに示すようなリム部２の内側に設けられた補強リブ２ｂが無い。即ち、図１の水洗便器Ａでは、リム部２が袋構造であるため、ボウル部１とリム部２とは別成形しておいて、それを貼り合わせる必要があるが、この図２の水洗便器Ａ１においては、上型と下型とを用いることにより、一度にボウル部１とリム部２とを一体成形することが可能となる。
【００２２】
図５は本発明の第二の実施形態に係わる水洗便器を示す図である。この、水洗便器Ｂにおいては、棚部４において、リム吐水口１０からボウル部１の先端部に至る前半棚部４ａと、先端部からリム吐水口１０に至る後半棚部４ｂとが、リム洗浄水Ｗｒの旋回方向に下り傾斜している。この場合、リム吐水口１０が設けられている前半棚部４ａの始端におけるリム部２からの高さは４０ｍｍに形成されており、ボウル部１の先端部における、前端棚部４ａの終端であって後半棚部４ｂの始端におけるリム部２からの高さは６０ｍｍに形成されており、後半棚部４ｂの終端であるリム吐水口１０近傍における棚部４ｂのリム部２からの高さは８０ｍｍに形成されている。
従って、この前半棚部４ａに乗った主リム洗浄水Ｗｒ−１ａ及び後半棚部４ｂに乗った主リム洗浄水Ｗｒ−１ｂとは重力に逆らうことなく螺旋状に棚部４を旋回することになり、リム吐水口１０から噴出するリム洗浄水Ｗｒの流速を、前記第一の実施形態に係わる水洗便器Ａよりも少し下げたとしても、後半棚部４ｂの終端にまで十分な主リム洗浄水Ｗｒ−１を供給することができる。
【００２３】
なお、後半棚部４ｂは旋回方向に下り傾斜にせず旋回方向に水平に形成してもよいものである。このように後半棚部４ｂを水平に形成した場合には、後半棚部４ｂとリム部２との高さが低くて済み、主リム洗浄水Ｗｒ−ｂ１が到達しない不洗浄部分が広がることがない点で旋回方向に下り傾斜にした場合よりも好ましいものである。
【００２４】
次に、本発明の第三の実施形態について図６，７に基づいて説明する。図６は第三の実施形態に係わる水洗便器の側断面図であり、図７は図６の水洗便器の導水路透視図である。
図６，７に示すように水洗便器Cにおいては、棚部４の内、第一リム吐水口１０ａからボウル部１の先端部に至る前半棚部４ａが旋回方向に沿って下り傾斜していると共に、先端部から第一リム吐水口１０ａに至る後半棚部４ｂは、旋回方向に沿って上り傾斜している。そして、後半棚部４ｂの途中には第二リム吐水口１０ｂが設けられており、この第二リム吐水口１０ｂからも第一リム吐水口１０ａと同一旋回方向にリム洗浄水Ｗｒｂが噴出する。具体的には、リム吐水口１０が設けられている前半棚部４ａの始端におけるリム部２からの高さは４０ｍｍに形成されており、ボウル部１の先端部における、前端棚部４ａの終端であって後半棚部４ｂの始端におけるリム部２からの高さは６０ｍｍに形成されており、後半棚部４ｂの終端であるリム吐水口１０近傍における棚部４ｂのリム部２からの高さは４０ｍｍに形成されている。
【００２５】
このように水洗便器Ｃの後方においては、後半棚部４ｂが旋回方向に沿って上り傾斜となっているため、第一及び第二の実施形態の水洗便器Ａ，Ｂと比べて、棚部４とリム上面２との間の不洗浄部分を狭くすることができる。
そして、後半棚部４ｂが旋回方向に上り傾斜であるため、この後半棚部４ｂを流れる第一リム吐水口１０ａから供給された主洗浄水Ｗｒａ−１ｂを第一リム吐出口１０ａまで１周旋回させるには、この第一リム吐出口１０ａから噴出させるリム洗浄水Ｗｒａの流速を高める必要が生じるが、この水洗便器Ｃにおいては第二リム吐出口１０ｂが設けられているため、第一リム吐水口から噴出させるリム洗浄水Ｗｒａの流速を高めなくても、第二リム吐水口から噴出されたリム洗浄水Ｗｒｂにより主洗浄水Ｗｒｂ−１ｂを形成して、後半棚部４ｂの終端にまで十分な主リム洗浄水Ｗｒｂ−１ｂを供給することができる。
【００２６】
次に、本発明の第四の実施形態について、図８，９に基づいて説明する。図８は第四の実施形態に係わる水洗便器の側断面図であり、図９は図８の水洗便器の上面図である。
この水洗便器Ｄにおいては、棚部４の構成や洗浄水の供給形態は第一の実施形態に係わる水洗便器Ａと同じであるが、前方のリム部２が内部に空間を有さない一重壁によって形成されている点が水洗便器Ａと異なる。その結果、水洗便器Ｄの全長を長くすることなく、リム部２開口の前後方向の長さを長くすることができる。
従って、男子小用のための使用者が水洗便器Ｄの前方に立って放尿した場合、ボール１外への飛散や、リム部２の前方上面への付着を防ぐことが出来る。
【００２７】
なお、上記した実施形態において、リム吐水口の空気混入可能なエジェクタノズルを設け、リム洗浄水Ｗｒを気泡混入水とすることができる。そうすれば、洗浄水の飛散をより一層効果的に抑えることができる。
また、リム吐水口へのリム洗浄水供給源としてはリムと一体に形成されたタンクから供給される実施形態以外にも、リムと別体に形成されたタンクから供給させることもでき、その場合、タンクはリム部に載置されている必要はなく、トイレ室の隅部に固定されていても良い。
更には、リム吐水口への洗浄水供給源としては、水道配管に直接繋がれた配管から供給する直圧式であってもよく、その場合には、減圧弁や定流量弁によって所定流量に調整されて供給させる必要がある。
【図面の簡単な説明】
【００２８】
【図１】本発明の第一の実施形態に係わる水洗便器の断面図。
【図２】図１の水洗便器の平面図。
【図３】図１の水洗便器のボウル部への導水路を透視した図。
【図４】図１の水洗便器を別製造方法にて製造した構造を示す図。
【図５】本発明の第二の実施形態に係わる水洗便器を示す図
【図６】第三の実施形態に係わる水洗便器の側断面図。
【図７】図６の水洗便器の導水路透視図。
【図８】第四の実施形態に係わる水洗便器の側断面図。
【図９】図８の水洗便器の上面図。
【図１０】従来の便器をその上面をほぼ全域に亘って破断して示す説明図。
【図１１】図１０のＡ−Ａ線，Ｂ−Ｂ線，Ｃ−Ｃ線，Ｄ−Ｄ線の各線でリム部を破断した概略部分断面。
【符号の説明】
【００２９】
Ａ，Ａ１，Ｂ，Ｃ，Ｄ…水洗便器
１…ボウル部
２…リム部
３…タンク部
４…棚部
５…排水レバー
６…排水弁
７…洗浄水導水路
８…リム導水路
９…ゼット導水路
１０…リム吐水口
１１…ゼット吐水口
１２…溜水
１３…トラップ部
１４…排水ソケット
【図１】
2005098003.tif 000003
【図２】
2005098003.tif 000004
【図３】
2005098003.tif 000005
【図４】
2005098003.tif 000006
【図５】
2005098003.tif 000007
【図６】
2005098003.tif 000008
【図７】
2005098003.tif 000009
【図８】
2005098003.tif 000010
【図９】
2005098003.tif 000011
【図１０】
2005098003.tif 000012
【図１１】
2005098003.tif 000013